(57)【要約】      （修正有）【課題】円筒状の熱可塑性樹脂を有効利用することにより、要、特に扇子の要に適用して提げ紐や飾りの装着が容易な扇子を簡単な製法で提供すると共に、リベットや鳩目として提供して有意なものを目指すものである。【解決手段】熱可塑性合成樹脂チューブの端部を加熱した際、チューブが示す独特の挙動に着目してなされたものであって、固定具の構成に関し、熱可塑性合成樹脂製中空円筒状部材１の、両端部３を加熱して溶融して冷却することにより、きのこ状のかしめ部６を自然形成することを特徴とする。【選択図】図２
2010082420.tif 000002
【特許請求の範囲】
【請求項１】
熱可塑性合成樹脂製中空円筒状部材の、両端部を加熱して溶融して冷却することにより、きのこ状のかしめ部を自然形成することを特徴とする要。
【請求項２】
該要が扇子の要であることを特徴とする請求項１に記載される要。
【請求項３】
きのこ状の頭部と筒状軸部とが一体とされた熱可塑性合成樹脂製の管リベットであって、筒状軸部の端部を加熱して溶融して冷却することによりきのこ状のかしめ部の自然形成が図られることを特徴とするリベット。
【請求項４】
該リベットが、鳩目であることを特徴とする請求項３に記載されるリベット。
【請求項５】
複数の該リベットと、ライターとが組物として一括包装されて販売に供する態をなすことを特徴とする請求項３又は４に記載されるリベット。
【発明の詳細な説明】
【技術分野】
【０００１】  この出願の発明は、要に関し、特に扇子の要に関する技術分野に属する。さらに、端部の一方に予め頭部を形成したものは、リベットあるいは鳩目に関する技術分野に属する。
【背景技術】
【０００２】  扇子の要に注目すると、金属や熱硬化性樹脂製の中実軸を適用したものが多く出まわっている（実開昭４９−１２４２４７号公報（特許文献１））。このような扇子には提げ紐をつけることができない。提げ紐や飾り紐のみならず、色々な飾りをあしらったストラップなどをつけることもできない。これは要が中実軸であることに起因している。確かに、提げ紐やストラップの装着な可能な扇子も存在し、実公昭４２−１８２３６号公報（特許文献２）には孔のあいた要が開示されてはいるが、かかる要の材質も装着手段も不明である。要の端部に円環を装着して提げ紐や飾りの装着を可能とした扇子も知られてはいるが、これとても簡便性の観点から見れば、装飾趣味の域を出ない。【０００３】  一方リベットや鳩目を見ると、熱可塑性合成樹脂製のものは存在しても、その装着は必ずしも簡便であるとは言いがたい。実用新案登録第３０７０９０６号公報（特許文献３）のものは合成樹脂とはあるが、そのかしめ作業も明確でない上に、出来上がり形状は結構複雑である。また、合成樹脂製鳩目の例として特開２００５−７１２４号公報（特許文献４）を挙げることができる。【０００４】  以上示した様に、特許文献は以下のとおりである。
【特許文献１】実開昭４９−１２４２４７号公報
【特許文献２】実公昭４２−１８２３６号公報
【特許文献３】実用新案登録第３０７０９０６号公報
【発明の開示】
【発明が解決しようとする課題】
【０００５】  本発明は上記実状に鑑みて成し遂げられたものであり、円筒状の熱可塑性合成樹脂を有効利用することにより、要、特に扇子の要に適用して強度を担保しつつ提げ紐や飾りの装着が容易な扇子を簡単な製法で提供すると共に、リベットや鳩目として提供して有意なものを目指すものである。
【課題を解決するための手段】
【０００６】  本発明は上記課題を解決するために、熱可塑性合成樹脂チューブの端部を加熱した際、チューブが示す独特の挙動に着目してなされたものであって、要の構成に関し、熱可塑性合成樹脂製中空円筒状部材の、両端部を加熱して溶融して冷却することにより、きのこ状のかしめ部を自然形成することを特徴とする。【０００７】  本発明は更に、該要が扇子の要であることを特徴とする。【０００８】  本発明は更に、きのこ状の頭部と筒状軸部とが一体とされた熱可塑性合成樹脂製の管リベットであって、筒状軸部の端部を加熱して溶融して冷却することによりきのこ状のかしめ部の自然形成が図られることを特徴とする。【０００９】  本発明は更に、該リベットが、鳩目であることを特徴とする。【００１０】  本発明は更に、複数の該リベットと、ライターとが組物として一括包装されて販売に供する態をなすことを特徴とする。
【発明の効果】
【００１１】  利用者は、扇子の要に孔があいていないど提げ紐や飾りつきのストラップ、あるいはマスコットなどを付けたくても付けようがない。これは、多くの扇子が要に中実軸を用いてしまっているからである。強度を勘案してのことと推測されるが、中実軸の強度と中空軸の強度とは人が思うほど変わらないということは周知である。それよりもなによりも、通常は、要が傷むより先に、扇子の紙が汚れたり破けたりしてしまうのである。したがって、簡単な手法により、つまり、本発明では扇子の要に熱可塑性合成樹脂製中空軸を採用してかしめ作業の簡素化を図ることにより、中実軸を適用したものとほぼ同様な強度の扇子を提供すると共に、扇子に提げ紐や飾りつきのストラップ、あるいはマスコットや鍵などを取り付けることを望む人に提供すれば、扇子の使い勝手がはなはだ増すといった絶大な効果が期待できるのである。【００１２】  また、リベットや鳩目として用いれば、金属性のものに較べれば強度は落ちるかもしれないが、熱可塑性合成樹脂の特性を有効利用してのかしめ作業がはなはだ簡便であるから、ライターと組物にして販売に供すれば、ライターがかしめ工具の役割を果たすことにより、リベットや鳩目の役割を完結させることができる。販売に供するに当たっては、ライターには発火石を用いたものより、圧電素子を用いたものを採用してライターに不慣れな人の操作感覚に配慮すべきであることは勿論のこと、引火性の強い材料に適用する時には火災に対する注意を喚起すべきことは当然である。
【発明を実施するための最良の形態】
【００１３】  熱可塑性合成樹脂製中空円筒状部材の、両端部を加熱して溶融して冷却することにより、きのこ状のかしめ部を自然形成することを特徴とする要。【００１４】  該要が扇子の要であることを特徴とする請求項１に記載される要。【００１５】  きのこ状の頭部と筒状軸部とが一体とされた熱可塑性合成樹脂製の管リベットであって、筒状軸部の端部を加熱して溶融して冷却することによりきのこ状のかしめ部の自然形成が図られることを特徴とするリベット。【００１６】  該リベットが、鳩目であることを特徴とする請求項３に記載されるリベット。【００１７】  複数の該リベットと、ライターとが組物として一括包装されて販売に供する態をなすことを特徴とする請求項３又は４に記載されるリベット。
【実施例】
【００１８】  図１（ａ）はこの出願の発明の要の縦断面図である。要は中空円筒状部材１からなり、当然のことながら中空部２を備えており、左右端に端部３を構成する。図１（ｂ）の側面図からも明らかなように、中空円筒状部材１及び中空部２表面形状は円形である。そして、中空円筒状部材の材質が、例えば、ポリプロピレン、ポリエチレン、ポリ塩化ビニール等のような熱可塑性合成樹脂であることが重要である。【００１９】  図２は、要の締結前後の状態を示す断面図である。図２（ａ）は装着断面図であって、被締結体４の孔５に熱可塑性合成樹脂製の中空円筒状部材１を挿入し、端部３を加熱し始めた状態を示す。図２（ｂ）は装着断面図であって、端部３は加熱されると溶融して被締結体４の表面に沿って専ら外方にきのこの笠を形成するように広がってゆき、外側膨出部７と内側膨出部８を形成し、全体としてきのこ状のかしめ部６を形成する。これは熱可塑性合成樹脂製のチューブが加熱された場合に示す独特の挙動である。内側膨出部８は中空部２の内径を狭めるから、中空部２の内径を均一にしたい場合には内側膨出部８を工具で削り取れば良い。【００２０】  図３は、被締結体４同士を要たる熱可塑性合成樹脂製中空円筒状部材１により締結する際の状態を経時的に示したものである。図３（ａ）は締結状態の第１段階の断面図であり、図３（ｂ）は締結状態の第２段階の断面図、図３（ｃ）は締結状態の第３段階の断面図、図３（ｄ）は締結状態の第４段階の断面図である。図３（ａ）は、つき合せ配置された被締結体４の孔５に中空円筒状部材１を挿入して、加熱し始めた状態を示す。たちまち図３（ｂ）に示すように、中空円筒状部材１の端部３が溶融を始める。そして、図３（ｃ）に示されるようにきのこ状のかしめ部６が、特段の成形用の型等を用いなくても綺麗な形で自然形成される。後は自然冷却を待てば良い。中空円筒状部材１の他端にも同様の処理を施せば、図３（ｄ）に示すように、左右のかしめ部６の形成が完成する。勿論、左右のかしめ部６の形成は、同時あるいは同時進行的であることを妨げるものではない。【００２１】  図４に示すものは、この出願の発明の要を扇子の要に適用した部分図である。親骨９と多数の小骨１０とを締結した要のかしめ部６が明瞭に示されており、その中空部２に提げ紐や飾り紐や色々な飾りをあしらったストラップ等を単数あるいは複数取り付け得ることが自明である。【００２２】  図５には本発明の熱可塑性合成樹脂からなる管リベットの縦断面図が記載されている。管リベット１５は筒状軸部１１と中空部１２とを有し一端に端部１４を構成すると共に、もう一つの端部にはきのこ状の頭部１３が予め形成されてなる。【００２３】  図６は本発明の管リベット１５の締結状態を示す断面図である。図６（ａ）は、つき合せた被締結材の孔１７に管リベット１５を挿入した状態を表している。管リベット１５の端部１４を加熱し溶融し冷却する処理を施せば、図６（ｂ）に示されるようなきのこ状のかしめ部１８が自然と形成される。【００２４】  管リベット１５の軸長が短いものは、鳩目となるものである。【００２５】  図示はしないが、複数本の熱可塑性合成樹脂製の管リベットと１本のライターとを組物として一括包装さ��たものは、販売に供して一般家庭の消費者の需要に応えるものとなるであろう。販売に供するに当たっては、出来るだけ小型のタバコ着火用のライターが好適で、ライターには発火石を用いたものより、圧電素子を用いたものを採用してライターに不慣れな人の操作容易性に配慮すべきである。また、引火性の強い材料に適用する時には火災に対する注意を喚起する注意書きを添えるべきことは当然である。
【産業上の利用可能性】
【００２６】  この出願の発明は、熱可塑性合成樹脂製の中空円筒状部材の端部を加熱すれば中空円筒状部材の端部が溶融して綺麗なきのこの笠状のかしめ部を自ずと形成するとの知見に基づいてなされたものである。扇子の要に用いればかしめ作業が簡単で、強度を落とすことなく提げ紐やストラップはもとよりマスコットや鍵等の装着を可能とするので、大衆向け扇子の普及に多大な寄与効果が期待できる。さらにリベットや鳩目として、一般家庭でも手軽に利用することが出来るので、一般家庭での工夫やニーズによりその適用範囲の拡大が大いに期待できる。
【図面の簡単な説明】
【００２７】
【図１】要の図面であり、（ａ）縦断面図、（ｂ）側面図。
【図２】要の締結前後の状態を示す断面図であり、（ａ）装着断面図、図２（ｂ）装着断面図。
【図３】被締結体同士を要たる熱可塑性合成樹脂製中空円筒状部材１により締結する際の状態を経時的に示したものであり、（ａ）締結状態の第１段階の断面図、（ｂ）締結状態の第２段階の断面図、（ｃ）は締結状態の第３段階の断面図、（ｄ）締結状態の第４段階の断面図。
【図４】要を扇子の要に適用した部分図。
【図５】熱可塑性合成樹脂からなる管リベットの縦断面図。
【図６】（ａ）（ｂ）管リベット１５の締結状態を示す断面図。
【符号の説明】
【００２８】  １      中空円筒状部材
２      中空部
３      端部
４      被締結体
５      孔
６      かしめ部
７      外側膨出部
８      内側膨出部
９      親骨
１０      子骨
１１      筒状軸部
１２      中空部
１３      頭部
１４      端部
１５      管リベット
１６      被締結体
１７      孔
１８      かしめ部
【図１】
2010082420.tif 000003
【図２】
2010082420.tif 000004
【図３】
2010082420.tif 000005
【図４】
2010082420.tif 000006
【図５】
2010082420.tif 000007
【図６】
2010082420.tif 000008